(57)【特許請求の範囲】
【請求項１】
第１のローカル信号をベースバンド信号で変調する直交変調手段を含み、第２のローカル信号を用いて前記変調手段の変調出力の周波数を変換し変調出力として送出する変調装置についての振幅及び位相を測定する振幅位相測定システムであって、前記第２のローカル信号を用いて前記第１のローカル信号の周波数を変換する周波数変換器と、この変換出力を基準として前記変調装置の変調出力についての振幅及び位相を測定する測定器とを含むことを特徴とする振幅位相測定システム。
【請求項２】
前記変調装置は前記第１及び第２のローカル信号を装置外部に夫々出力する第１及び第２のモニタ端子を含み、前記周波数変換器は前記第２のローカル信号を用いて前記第１のローカル信号の周波数を変換することを特徴とする請求項１記載の振幅位相測定システム。
【請求項３】
前記周波数変換器の出力を入力とし所定周波数帯域以外の周波数帯域の信号を除去するバンドパスフィルタを更に含み、この除去出力を基準として前記測定器が変調装置の変調出力についての振幅及び位相を測定するようにしたことを特徴とする請求項１又は２記載の振幅位相測定システム。
【請求項４】
第１のローカル信号をベースバンド信号で変調する直交変調手段を含み、第２のローカル信号を用いて前記変調手段の変調出力の周波数を変換し変調出力として送出する変調装置についての振幅及び位相を測定する振幅位相測定方法であって、前記第２のローカル信号を用いて前記第１のローカル信号の周波数を変換するステップと、この変換出力を基準として前記変調装置の変調出力についての振幅及び位相を測定するステップとを含むことを特徴とする振幅位相測定方法。
【請求項５】
前記変調装置は前記第１及び第２のローカル信号を装置外部に夫々出力する第１及び第２のモニタ端子を含み、前記周波数変換器は前記第２のローカル信号を用いて前記第１のローカル信号の周波数を変換することを特徴とする請求項４記載の振幅位相測定方法。
【請求項６】
前記周波数変換器の出力を入力とし所定周波数帯域以外の周波数帯域の信号を除去するバンドパスフィルタを更に含み、この除去出力を基準として前記測定器が変調装置の変調出力についての振幅及び位相を測定するようにしたことを特徴とする請求項４又は５記載の振幅位相測定方法。
【発明の詳細な説明】
【０００１】
【発明の属する技術分野】
本発明は振幅位相測定システム及び振幅位相測定方法に関し、特に直交変調器の直交調整を行う振幅位相測定システム及び振幅位相測定方法に関する。
【０００２】
【従来の技術】
一般にＱＰＳＫ（Ｑｕａｄｒａｔｕｒｅ  Ｐｈａｓｅ  Ｓｈｉｆｔ  Ｋｅｙｉｎｇ）変調（４相位相推移変調）等のディジタル変調方式においては、互いに直交したローカル信号を、ベースバンド信号で変調する直交変調器が用いられる。このＱＰＳＫ変調においては、例えば図２に示されているように、Ｉチャンネル及びＱチャンネルの２列のベースバンド信号がミキサ１ａ及び１ｂに入力され、このベースバンド信号で、ｃｏｓ（２πｆｔ）及びｓｉｎ（２πｆｔ）の互いに直交したローカル周波数が変調される。そして、各変調信号は合成器２で合成され、この合成信号がＱＰＳＫ変調信号として出力される。ここでｆはローカル周波数、ｔは時間である。なお、特開平６−３５０６５８号公報にも同様な直交変調器が記載されている。
【０００３】
このＱＰＳＫ変調波は、図３に示されているように、位相平面上で９０［ｄｅｇ］間隔で等しい振幅を持つ４つの信号点Ａ，Ｂ，Ｃ，Ｄを持っている。すなわち、図３中の原点Ｏから各信号点までの距離は同一であり、線分ＡＯと線分ＢＯ、線分ＢＯと線分ＤＯ、線分ＤＯと線分ＣＯ、線分ＣＯと線分ＡＯの各角度は夫々９０［ｄｅｇ］である。
【０００４】
しかしながら実際には、ローカル信号の直交偏差とベースバンド信号の振幅偏差等によって、信号点間の位相角度と振幅値にばらつきが発生する。このため、ばらつきが装置の性能上必要な許容値内になるよう、変調器の製造時に、変調振幅・位相量の測定及び調整を行う必要がある。通常、ＱＰＳＫ変調の振幅位相量の測定は、ローカル信号の振幅及び位相を基準値として、変調器から出力される４つの信号点間の相対的な振幅値及び位相量を、測定することによって行われる。この測定には、ネットワークアナライザ等の振幅位相測定器が用いられる。
【０００５】
ここで、従来のダブルコンバージョン方式の変調器についての振幅値及び位相量の測定システムについて図４を参照して説明する。
【０００６】
同図には、変調器５−１，切替スイッチ５−２，ミキサ５−３並びにシンセサイザ（ＳＹＮＴＨ）１０及び１１が実装された変調回路基板５が示されている。この基板５上の変調器５−１は、入力されるベースバンド信号ＢＢ−Ｉ及びＢＢ−Ｑでシンセサイザ１０からのローカル信号の変調を行うものである。また、ミキサ５−３は、シンセサイザ１１からのローカル信号を用いて、変調器５−１出力の周波数変換を行うものである。このミキサ５−３の出力は、出力端子９から導出される。出力端子８及び１２は後述する振幅及び位相の調整のために用いる測定用の端子である。
【０００７】
この変調回路基板５についてのＰＳＫ変調波の振幅及び位相の調整は、以下のように行われる。すなわち、切替スイッチ５−２を切替えて変調器５−１の変調出力を出力端子８から導出する。また、シンセサイザ１０からのローカル信号を出力端子１２から導出する。そして、出力端子１２から導出されるローカル信号を基準として、本来の出力端子９から導出される信号の各信号点における変調器５−１の変調出力の位相及び振幅量をネツトワークアナライザ７で測定する。この測定結果に基づいて、各信号点が上述した図３の関係になるように調整するのである。
【０００８】
【発明が解決しようとする課題】
上述した従来のＰＳＫ変調波の振幅及び位相の測定及び調整を行う場合、測定及び調整以外には必要のない切替スイッチ５−２を予め基板上に用意しておく必要があり、この余剰回路がコストアップ及び回路規模の増加を引起こすという欠点がある。
【０００９】
また、変調器の出力をミキサで周波数変換するダブルコンバージョン方式の変調回路基板において、変調器の出力のみが測定対象となり、本来の出力端子からの出力を測定対象にすることができず、直交変調波の直交状態を確認できないという欠点がある。
【００１０】
本発明は上述した従来技術の欠点を解決するためになされたものであり、その目的は直交変調波の測定及び調整を容易に行うことができ、また基板上に実装される余分な回路を極力減らすことのできる振幅位相測定システム及び振幅位相測定方法を提供することである。
【００１１】
【課題を解決するための手段】
本発明による振幅位相測定システムは、第１のローカル信号をベースバンド信号で変調する直交変調手段を含み、第２のローカル信号を用いて前記変調手段の変調出力の周波数を変換し変調出力として送出する変調装置についての振幅及び位相を測定する振幅位相測定システムであって、前記第２のローカル信号を用いて前記第１のローカル信号の周波数を変換する周波数変換器と、この変換出力を基準として前記変調装置の変調出力についての振幅及び位相を測定する測定器とを含むことを特徴とする。
【００１２】
本発明による振幅位相測定方法は、第１のローカル信号をベースバンド信号で変調する直交変調手段を含み、第２のローカル信号を用いて前記変調手段の変調出力の周波数を変換し変調出力として送出する変調装置についての振幅及び位相を測定する振幅位相測定方法であって、前記第２のローカル信号を用いて前記第１のローカル信号の周波数を変換するステップと、この変換出力を基準として前記変調装置の変調出力についての振幅及び位相を測定するステップとを含むことを特徴とする。
【００１３】
要するに本システムでは、ダブルコンバージョン方式の直交変調回路において、各ローカル信号発生器のモニタ出力を外部ミキサにて周波数変換し、振幅位相測定器で外部ミキサの出力を基準信号として変調器出力の変調振幅及び変調位相を測定しているのである。また、ダブルコンバージョン方式の直交変調回路において、シンセサイザのモニタ出力を外部ミキサにて周波数変換した後、不要波を除去するためのフィルタ回路でフィルタリングを行い、フィルタ回路出力を基準信号として、変調振幅及び変調位相を測定しているのである。
【００１４】
【発明の実施の形態】
次に、本発明の実施の一形態について図面を参照して説明する。なお、以下の説明において参照する各図においては、他の図と同等部分には同一符号が付されている。
【００１５】
図１は本発明による振幅位相測定システム及び振幅位相測定方法の実施の一形態を示すブロック図である。同図において、図４と同等部分は同一符号により示されており、その部分の詳細な説明は省略する。
【００１６】
同図に示されているように、本システムにおいては、シンセサイザ１０からのローカル信号をモニタ端子１２から導出し、またシンセサイザ１１からのローカル信号をモニタ端子１３から導出する。そして、基板５とは別に用意した治具基板６に実装されているミキサ６−１において、モニタ端子１３から導出されるローカル信号を用いて、モニタ端子１２から導出されるローカル信号の周波数の変換を行う。この変換出力を基準信号とし、本来の出力端子９から導出される被測定信号の各信号点における変調器５−１の変調出力の位相及び振幅量をネットワークアナライザ７で測定する。この測定結果に基づいて、各信号点が上述した図３の関係になるように調整するのである。
【００１７】
ここで、本システムにおいては、バンドパスフィルタ（ＢＰＦ）６−２でミキサ６−１の出力から不要波を除去した後、基準信号としてネットワークアナライザ７に入力している。
【００１８】
モニタ端子１２から導出されるローカル信号の周波数をｆ１＝８１３［ＭＨｚ］とし、モニタ端子１３から導出されるローカル信号の周波数をｆ２＝９５３［ＭＨｚ］とする。すると、ミキサ６−１から出力されてバンドパスフィルタ６−２に入力される信号は、ｆ２−ｆ１＝１４０［ＭＨｚ］、２＊ｆ１−ｆ２＝６７３［ＭＨｚ］、２＊ｆ２−ｆ１＝１０９３［ＭＨｚ］等、多くの周波数成分を含んでいる。
【００１９】
そこで、基板５の出力端子９から出力される信号の周波数は１４０［ＭＨｚ］なので、１４０［ＭＨｚ］のローカル信号を抽出するために通過帯域の中心周波数が１４０［ＭＨｚ］で、他のスプリアスが通過帯域に入らない程度の通過帯域幅を有するバンドパスフィルタ６−２を用いる。このバンドパスフィルタ６−２を通過した外部ミキサの出力である１４０［ＭＨｚ］のローカル信号は、変調器の出力周波数と同一周波数となる。よって、ネットワークアナライザ７には、この１４０［ＭＨｚ］のローカル信号を基準信号として入力し、この基準信号を変調回路基板５の出力端子９から出力されるＰＳＫ変調波と比較することにより、位相及び振幅値を測定・調整することができるのである。
【００２０】
以上のように、ローカル信号をモニタ端子から導出して基準信号として用いるので、変調器の最終出力を用いて直交変調出力の位相及び振幅値を測定・調整することができるのである。また、基板５において、直交調整専用の切替スイッチ等の余分な回路を除去して回路規模を最小にすることができるのである。
【００２１】
また、本システムにおいては、第１のローカル信号をベースバンド信号で変調する直交変調手段を含み、第２のローカル信号を用いて前記変調手段の変調出力の周波数を変換し変調出力として送出する変調装置についての振幅及び位相を測定する振幅位相測定方法を行っているのであり、その方法においては、
前記第２のローカル信号を用いて前記第１のローカル信号の周波数を変換し、この変換出力を基準として前記変調装置の変調出力についての振幅及び位相を測定するようにしているのである。
【００２２】
請求項の記載に関連して本発明は更に次の態様をとりうる。
【００２３】
（１）前記変調器及び前記測定器は、前記変調装置の外部に設けられていることを特徴とする請求項１〜３のいずれかに記載の振幅位相測定システム。
【００２４】
（２）前記変調器及び前記測定器は、前記変調装置の外部に設けられていることを特徴とする請求項４〜６のいずれかに記載の振幅位相測定方法。
【００２５】
【発明の効果】
以上説明したように本発明は、ローカル信号をモニタ端子から導出して基準信号として用いることにより、変調器の最終出力を用いて直交変調出力の位相及び振幅値を測定・調整し、直交変調波の直交状態を確認できるという効果がある。また、直交調整専用の切替スイッチ等の余分な回路を除去して回路規模を最小にすることができるという効果もある。
【図面の簡単な説明】
【図１】本発明の実施の一形態による振幅位相測定システムの構成を示すブロック図である。
【図２】一般的なＱＰＳＫ変調器の構成を示すブロック図である。
【図３】ＱＰＳＫ変調波の位相関係を示す図である。
【図４】従来の振幅位相測定システムの構成を示すブロック図である。
【符号の説明】
５  変調回路基板
５−１  変調器
５−２  切替スイッチ
５−３，６−１  ミキサ
６  治具基板
６−２  バンドパスフィルタ
７  ネットワークアナライザ
９  出力端子
１０，１１  シンセサイザ
１２，１３  モニタ端子
【図１】
0003541345.tif 000002
【図２】
0003541345.tif 000003
【図３】
0003541345.tif 000004
【図４】
0003541345.tif 000005